(57)【要約】【課題】　キャビネットのアクセス・パネルを開く場合又は取り外す場合に、キャビネット内部の冷却が不十分になることを防止する。【解決手段】キャビネット（１００）を冷却する方法であって、前記キャビネット（１００）の温度に応じて、前記キャビネット（１００）内の少なくとも１つの冷却ファン（１０９）の速度を制御する段階と、前記キャビネット（１００）に対するアクセス・パネル（１０３）の位置に応じて前記少なくとも１つの冷却ファン（１０９）の速度を制御する段階とを有する方法を提供する。【選択図】　　　　図１B
2004133937.tif 000002
【特許請求の範囲】
【請求項１】
　キャビネットを冷却する方法であって、
　前記キャビネットの温度に応じて、前記キャビネット内の少なくとも１つの冷却ファンの速度を制御する段階と、
　前記キャビネットに対するアクセス・パネルの位置に応じて前記少なくとも１つの冷却ファンの速度を制御する段階とを有する方法。
【請求項２】
　前記キャビネットに対するアクセス・パネルの位置に応じて前記少なくとも１つの冷却ファンの前記速度を制御する前記段階が、さらに、前記アクセス・パネルの開口に応じてファン速度制御装置に信号を印加する侵入センサを提供する段階を有することを特徴とする請求項１に記載の方法。
【請求項３】
　前記キャビネットに対するアクセス・パネルの位置に応じて前記少なくとも１つの冷却ファンの前記速度を制御する前記段階が、さらに、前記アクセス・パネルの開口に応じて前記少なくとも１つの冷却ファンに駆動信号を印加する侵入センサを提供する段階を有することを特徴とする請求項１に記載の方法。
【請求項４】
　前記ファン速度制御装置への前記信号の前記印加に応じて、前記少なくとも１つの冷却ファンを、前記ファン速度制御装置によって最大速度で駆動する段階をさらに有することを特徴とする請求項２に記載の方法。
【請求項５】
　前記少なくとも１つの冷却ファンを、前記駆動信号によって最大速度で駆動する段階をさらに有することを特徴とする請求項３に記載の方法。
【請求項６】
　キャビネットを冷却するシステムであって、
　少なくとも１つの冷却ファンと、
　前記少なくとも１つの冷却ファンの速度を、前記キャビネットの温度に応じて制御する手段と、
　前記キャビネットに対するアクセス・パネルの位置に応じて、前記少なくとも１つの冷却ファンの前記速度を制御する手段とを有する方法。
【請求項７】
　前記キャビネットの前記温度に応じて前記少なくとも１つの冷却ファンの前記速度を制御する手段が、さらに、
　ファン速度制御装置と、
　前記ファン速度制御装置に電気的に結合された少なくとも１つの温度センサとを有し、
　前記速度制御装置が、前記少なくとも１つの冷却ファンに電気的に結合されており、
　前記キャビネットに対する前記アクセス・パネルの前記位置に応じて前記少なくとも１つの冷却ファンの前記速度を制御する手段が、さらに、
　前記ファン速度制御装置と、
　前記アクセス・パネルの開口を検出し、前記アクセス・パネルの前記開口に応じて前記ファン速度制御装置に信号を印加する手段とを有することを特徴とする請求項６に記載のシステム。
【請求項８】
　前記キャビネットに対する前記アクセス・パネルの前記位置に応じて前記少なくとも１つの冷却ファンの前記速度を制御する前記手段が、さらに、前記少なくとも１つの冷却ファンに電気的に結合された侵入センサを有することを特徴とする請求項６に記載のシステム。
【請求項９】
　前記侵入センサが、前記少なくとも１つの冷却ファンに、前記少なくとも１つの冷却ファンを最大速度で駆動する駆動信号を印加することを特徴とする請求項６に記載のシステム。
【発明の詳細な説明】
【技術分野】
【０００１】
　コンピュータやその他電子機器のキャビネット内の冷却する冷却方法及び冷却装置に関する。
【背景技術】
【０００２】
　信頼性の高いオンライン・サービスを提供するために、インターネット・サービス・プロバイダは、信頼性が高く低コストでダウンタイムが最小のサーバ技術を必要としている。コンピュータ・メーカは、そのような要求に応えて、「ホット・プラグ」サービスを容易にするサーバを作成している。ホット・プラグ・サービスは、ユニットが接続され動作している間にサーバや他のコンピュータ・システムに行われるサービスである。代表的な状況において、ホット・プラグ・サービスは、内部回路や他の装置にアクセスするために１つまたは複数のアクセス・パネルの開口または除去を伴う。
【０００３】
　代表的なサーバまたはコンピュータ・システムの１つまたは複数のアクセス・パネルを開いたり取り外したりすると、ユニット内の冷却空気流が乱れたり変化したりすることが多い。さらに詳しく説明すると、サーバ、コンピュータ・システム、その他の電子回路装置は、電子構成要素から生じた熱をそのような構成要素を収容するキャビネットまたは筐体から除去するように設計された空気流を作り出す冷却ファンを含むことが多い。アクセス・パネルを開くと、空気が通る新しい通路ができ、それによりすべてのアクセス・パネルが閉じられたときにキャビネット内にある空気流パターンが変化するか乱れることが多い。ホット・プラグ・サービスの特殊なケースでは、アクセス・パネルを取り外すことで、空気流パターンが変化するか乱れ、それにより冷却が不十分になることがある。
【発明の開示】
【発明が解決しようとする課題】
【０００４】
　本発明は、キャビネットのアクセス・パネルを開く場合又は取り外す場合に、キャビネット内部の冷却が不十分になることを防止する。
【課題を解決するための手段】
【０００５】
　本発明の１つの実施形態において、キャビネットの温度に応じて少なくとも１つの冷却ファンの速度を制御する段階と、キャビネットに対するアクセス・パネルの位置に応じて少なくとも１つの冷却ファンの速度を制御する段階とを含む方法を提供する。
【０００６】
　もう１つの実施形態において、キャビネットを冷却するシステムを提供する。その点において、システムは、少なくとも１つの冷却ファンと、キャビネットの温度に応じて少なくとも１つの冷却ファンの速度を制御する手段と、キャビネットに対するアクセス・パネルの位置に応じて少なくとも１つの冷却ファンの速度を制御する手段とを含む。
【０００７】
　さらにもう１つの実施形態において、キャビネットを冷却するもう１つのシステムを提供する。この点において、システムは、少なくとも１つの冷却ファンと、少なくとも１つの冷却ファンに電気的に結合されたファン速度制御装置とを含む。ファン速度制御装置は、プロセッサとメモリを有するプロセッサ回路を含む。侵入センサが、ファン速度制御装置に電気的に結合される。速度制御ロジックは、メモリに記憶され、プロセッサによって実行可能である。速度制御ロジックは、キャビネットのアクセス・パネルが開いていることを示す信号を侵入センサから受け取ったときに、少なくとも１つの冷却ファンに最大駆動信号を印加して、少なくとも１つの冷却ファンを最大速度で駆動させるロジックを含む。
【０００８】
　さらにもう１つの実施形態において、キャビネットを冷却するもう１つのシステムを提供する。この実施形態において、システムは、少なくとも１つの冷却ファンと、少なくとも１つの冷却ファンに電気的に結合され、キャビネットのアクセス・パネルに動作可能に結合された侵入センサとを含む。侵入センサは、アクセス・パネルの開口に応じて、冷却ファンを最大速度で駆動する最大駆動信号を少なくとも１つの冷却ファンに印加する。また、少なくとも１つの温度センサが、少なくとも１つの冷却ファンに電気的に結合される。
【０００９】
　さらにもう１つの実施形態において、キャビネットを冷却するもう１つのシステムを提供する。この点において、システムは、少なくとも１つの冷却ファンと、少なくとも１つの冷却ファンに電気的に結合されたファン速度制御装置を含む。ファン速度制御装置は、プロセッサとメモリを有するプロセッサ回路を含む。システムは、また、ファン速度制御装置に電気的に結合された少なくとも１つの温度センサと、メモリに記憶されプロセッサによって実行可能な速度制御ロジックとを含む。速度制御ロジックは、少なくとも１つの温度センサから受け取った信号に応じて、少なくとも１つの冷却ファンに第１の駆動信号を印加させるロジックを含み、第１の駆動信号は、少なくとも１つの冷却ファンを所定の速度で駆動する。また、侵入センサは、少なくとも１つの冷却ファンに電気的に結合される。侵入センサは、少なくとも１つの冷却ファンを最大速度で駆動する第２の駆動信号を少なくとも１つの冷却ファンに印加し、第２の駆動信号は、第１の駆動信号より優先される。
【発明を実施するための最良の形態】
【００１０】
　図１を参照して、本発明の実施形態によるサーバ、コンピュータ・システムまたは他の装置のハウジングとしてはたらくキャビネット１００を示す。この点において、キャビネット１００は、回路基板、ハード・ディスク・ドライブ、電源回路、およびサーバやコンピュータ・システムなどに一般に見られる他の電子的および機械的構成要素のような様々な構成要素を収容することができる。キャビネット１００は、キャビネット１００内に収容された構成要素へのサービス・アクセスを提供するアクセス・パネル１０３を含む。また、キャビネット１００は、キャビネット１００の中へまたは外への冷却空気の通過を容易にする通気口１０６を含む。
【００１１】
　さらに、本発明の実施形態によるキャビネット１００内に冷却システム１０４が配置される。冷却システム１０４は、１つまたは複数の冷却ファン１０９、ファン速度制御装置１１３、１つまたは複数の温度センサ１１６、および少なくとも１つの侵入センサ１１９を含む。１つまたは複数の温度センサ１１６は、ファン速度制御装置１１３に電気的に結合され、温度信号を提供する。ファン速度制御装置１１３は、１つまたは複数の冷却ファン１０９に電気的に結合され、冷却ファン１０９に印加する駆動信号を生成する。侵入センサ１１９は、ファン速度制御装置１１３の入力に電気的に結合され、アクセス・パネル１０３にも動作可能に結合され、アクセス・パネル１０３の開口または除去を検出する。
【００１２】
　キャビネット１００内に収容されたサーバ、コンピュータ・システム、その他の装置が動作している間、冷却システム１０４は、キャビネット１００内を循環する冷却空気流１２３を生成するはたらきをし、冷却空気流は、通気口１０６を介してキャビネット１００に入ったり出たりする。当業者に理解されるように、冷却空気流１２３を作成する際、冷却システム１０４は、キャビネット１００内に空気を送り込みあるいはキャビネット１００から空気を吸い出す複数の冷却ファン１０９を使用することができる。よくある事例であるが、キャビネット１００内に収容された回路基板などの構成要素は、最適な冷却を達成するために、キャビネット１００内に循環する冷却空気流１２３の方に向けられるかあるいはさらされるように位置決めされることがある。
【００１３】
　侵入センサ１１９は、例えば、キャビネット１００に対するアクセス・パネル１０３の位置を検出するインターロック、光スイッチ、リミットスイッチ、位置センサ、近接センサ、その他の適切なセンサである。冷却ファン１０９は、例えば、直流冷却ファンやその他のタイプの冷却ファンである。ファン速度制御装置１１３は、例えば、アナログ制御装置やディジタル制御装置である。ファン速度制御装置１１３がディジタル制御装置の場合は、例えば、プロセッサ回路やその他のディジタル回路を使用することができる。
【００１４】
　次に、キャビネット１００内の冷却システム１０４の動作の簡単な説明を行う。キャビネット１００内の様々な回路構成要素が動作している場合、キャビネット１００内に一定量の熱が生成される。キャビネット１００が過熱すると、キャビネット１００内に収容された回路構成要素やその他の装置が破損する可能性がある。キャビネット１００の過熱を防ぐために、冷却システム１０４が、冷却空気流１２３を確立する働きをする。冷却空気流１２３を確立するために、ファン速度制御装置１１３は、所定の時間に、キャビネット１００内を冷却するために必要に基づいて１つまたは複数の冷却ファン１０９を様々な速度で動作させる。具体的には、ファン速度制御装置１１３は、キャビネット１００の温度に応じて、キャビネット１００内の１つまたは複数の冷却ファン１０９の速度の制御を提供する。
【００１５】
　さらに詳しく説明すると、温度センサ１１６は、キャビネット１００の温度に応じて温度信号を生成する。そのような温度信号は、ファン速度制御装置１１３に提供される。温度信号は、キャビネット１００内で温度センサ１１６によって検出された温度を示す。これに応じて、ファン速度制御装置１１３は、１つまたは複数の冷却ファン１０９に印加する１つまたは複数の駆動信号を生成する。それぞれの冷却ファン１０９に印加するそれぞれの駆動信号は、それぞれの冷却ファン１０９を所定の速度で駆動する。このように、ファン速度制御装置１１３は、キャビネット１００内の空気流１２３を生成するため、１つまたは複数の冷却ファン１０９の速度を調整して、キャビネット１００内の温度を、収容された回路構成要素やその他の装置の適切な動作に最適なレベルに維持する。
【００１６】
　また、冷却ファン１０９はそれぞれ、冷却ファン１０９の速度をそれぞれ示すフィードバック信号を生成する回転速度計を含むことができる。そのような回転速度計の出力は、ファン速度制御装置１１３に印加され、それにより、冷却ファン１０９の実際の速度をファン速度制御装置１１３に知らせる。
【００１７】
　さらに、ファン速度制御装置１１３は、また、キャビネット１００に対するアクセス・パネル１０３の位置に応じて、少なくとも１つの冷却ファン１０９の速度の制御を提供する。これを達成するために、侵入センサ１１９は、ファン速度制御装置１１３に印加する信号を生成する。例えば、侵入センサ１１９は、アクセス・パネル１０３の開口または除去に応じて信号を生成する。この点において、侵入センサ１１９は、アクセス・パネル１０３が開かれたかまたは除去されたことをファン速度制御装置１１３に通知する。侵入センサ１１９によって生成される信号は、ファン速度制御装置１１３によって認識される任意のタイプの信号（または、信号の欠如）でよい。
【００１８】
　アクセス・パネル１０３が開かれたかまたは除去されたことを示す侵入センサ１１９からの信号の受け取ると、ファン速度制御装置１１３は、１つまたは複数の冷却ファン１０９に印加する１つまたは複数の駆動信号を生成する。そのように生成された駆動信号は、冷却ファン１０９を、所定の速度または毎分回転数（ＲＰＭ）で駆動する。所定の速度は、例えば、アクセス・パネル１０３が開かれたかまたは除去された状態でキャビネット１００内に充分な冷却空気流１２３が得られる任意の速度である。１つの実施形態において、駆動信号は、少なくとも１つの冷却ファンを、キャビネット１００内に最大の空気流を提供する最大速度で駆動する。これは、アクセス・パネル１０３が開かれたかまたは除去されたためにキャビネット１００内の気流力学が変化したかまたは乱れたという事実による。最大速度は、そのような変化または乱れを補償するために最大の気流を提供する。
【００１９】
　次に図１Ｂに移り、本発明の実施形態によるキャビネット１００の第２の図を示す。示したように、アクセス・パネル１０３は開いた位置にあり、それにより、アクセス・パネル１０３の開口または除去によって開いた空隙からキャビネット１００内にある一定量の空気が流れ込むことができる。侵入センサ１１９が、アクセス・パネル１０３が開かれたかまたは除去されたことを検出するので、侵入センサ１１９は、ファン速度制御装置１１３に適切な信号を送る。これに応じて、ファン速度制御装置１１３は、１つまたは複数の冷却ファン１０９を所定の速度で駆動する。所定の速度を前の動作速度より早くする場合には、これに対応して空気流が増える。これは、通気口１０６ならびにアクセス・パネル１０３の開口または除去によってできた開口を介して空気が流れることを保証するように行われる。
【００２０】
　次に図２に移り、本発明の実施形態によるファン速度制御装置１１３の１つの実施形態を示す。ファン速度制御装置１１３は、プロセッサ１３３とメモリ１３６を有するプロセッサ回路を含み、これらは両方とも、ローカル・インタフェース１３９に結合されている。この点において、ローカル・インタフェース１３９は、例えば、当業者によって理解されるように、制御／アドレス・バスが付随するデータ・バスである。この点において、プロセッサ回路は、例えば、マイクロプロセッサ回路やその他の適切な装置である。ファン速度制御装置１１３は、また、１つまたは複数の入力インタフェース１４３と１つまたは複数のファン・インタフェース１４６を含む。入力インタフェース１４３は、温度センサ１１６と侵入センサ１１９からの適切な信号の入力に備える。同様に、ファン・インタフェース１４６は、ファン速度制御装置１１３によって生成された駆動信号の１つまたは複数の冷却ファン１０９への送信に備える。
【００２１】
　オペレーティング・システム１４９とファン速度制御ロジック１５３は、メモリ１３６に記憶され、プロセッサ１３３によって実行される。ファン速度制御ロジック１５３は、後で説明するように、冷却ファン１０９の速度を制御するために、プロセッサ１３３によって実行される。
【００２２】
　メモリ１３６は、本明細書において、揮発性および不揮発性メモリとデータ記憶構成要素の両方として定義される。揮発性構成要素は、電力がなくなったときにデータ値を保存しないものである。不揮発性構成要素は、電力がなくなったときにデータを保存するものである。したがって、メモリ１３６は、例えば、ランダム・アクセス・メモリ（ＲＡＭ）、読み出し専用メモリ（ＲＯＭ）、ハード・ディスク・ドライブ、関連したフロッピ・ディスク・ドライブによってアクセスされるフロッピ・ディスク、コンパクト・ディスク・ドライブによってアクセスされるコンパクト・ディスク、適切なテープドライブによってアクセスされる磁気テープ、および／または他の記憶構成要素、あるいはこれらの記憶構成要素のうちの任意の複数の組み合わせである。さらに、ＲＡＭは、例えば、スタティック・ランダム・アクセス・メモリ（ＳＲＡＭ）、ダイナミック・ランダム・アクセス・メモリ（ＤＲＡＭ）、または磁気ランダム・アクセス・メモリ（ＭＲＡＭ）、およびその他のそのような装置を含む。ＲＯＭは、例えば、プログラム可能な読み出し専用メモリ（ＰＲＯＭ）、消去可能プログラム可能な読み出し専用メモリ（ＥＰＲＯＭ）、電子的消去可能プログラム可能な読み出し専用メモリ（ＥＥＰＲＯＭ）、またはその他の類似のメモリ装置を含む。
【００２３】
　さらに、プロセッサ１３３は、複数のプロセッサを表すこともあり、メモリ１３６は、並列に動作する複数のメモリを表すこともある。そのような事例において、ローカル・インタフェース１３９は、複数のプロセッサのうちの任意の２つの間、任意のプロセッサとメモリのうちの任意の１つのメモリと間、あるいはメモリのうちの任意の２つの間などの通信を容易にする適切な回路網でよい。プロセッサ１３３は、性質が電気的なものでも光学的なものでもよい。
【００２４】
　オペレーティング・システム１４９は、メモリ、処理時間、周辺装置などのファン速度制御装置１１３内のハードウェア資源の割り振りと使用状況を制御するために実行される。そのように、オペレーティング・システム１４９は、当業者によって一般に知られているように、アプリケーションが依存する基礎としてはたらく。
【００２５】
　図３と関連して、本発明の実施形態によるファン速度制御ロジック１５３の例示的なフローチャートを示す。代替として、図３のフローチャートは、ファン速度制御装置１１３（図２）において実施される方法のステップを示すと見ることができる。
【００２６】
　最初にブロック１６３で、ファン速度制御ロジック１５３が初期化される。この点において、当業者が理解できるように、すべての変数が初期値に設定され、他の初期設定タスクが試みられる。その後で、ボックス１６６で、温度センサ１１６（図１Ａ）から１つまたは複数の温度値を取得する。次に、ボックス１６９で、ファン速度制御ロジック１５３が、ファン駆動信号を、冷却ファン１０９（図１Ａ）を所定の速度または秒当たりの回転数で駆動するようにより良く設計された所定の大きさに設定する。具体的には、十分に冷却するために、冷却ファンに印加される駆動信号を、温度入力に従って所定の速度に設定する。その後、ボックス１７３で、ファン速度制御ロジック１５３は、アクセス・パネル１０３（図１Ａ）が開かれたかまたは除去されたかどうかを判定する。この判定は、侵入センサ１１９（図１Ａ）からの入力を調べることによって行われることに注意されたい。ボックス１７３で、アクセス・パネル１０３が開かれたかまたは除去されたと判定された場合、ファン速度制御ロジック１５３は、ボックス１７６に進み、ファン速度制御装置１１３が、冷却ファン１０９に印加される駆動信号をパネル開放／除去時の速度に設定する。ボックス１７３で、アクセス・パネル１０３が開かれておらず除去されてもいない場合、ファン速度制御ロジック１５３は、ボックス１６６に戻る。
【００２７】
　１つの実施形態において、パネル開放／除去時の速度は、冷却ファン１０９の最大速度であるが、パネル開放／除去速度として任意の所定の速度を使用することもできる。次に、ボックス１７９で、ファン速度制御ロジック１５３は、前に開かれたかまたは除去されたアクセス・パネル１０３が、閉じられたかまたは戻されたかを判定する。判定が否定の場合は、ファン速度制御ロジック１５３は、ボックス１７９で、アクセス・パネル１０３が閉じられたかまたは戻されたことが検出されるまで待つ。アクセス・パネル１０３が閉じられたかまたは戻されたことの検出は、侵入センサ１１９から受け取った入力を調べることによって判定される。ファン速度制御ロジック１５３が、アクセス・パネル１０３が閉じられたか戻されたことを検出したと仮定すると、ファン速度制御ロジック１５３は、ボックス１６６に戻る。
【００２８】
　したがって、ファン速度制御ロジック１５３は、キャビネット１００内の温度センサ１１６から温度を連続的に取得して、キャビネット１００内の過熱を防ぐために冷却が必要かどうかを判定し、それに従って冷却ファン１０９を駆動する。このループは、アクセス・パネル１０３が開かれるか除去されるまで中断されず、ファン速度制御ロジック１５３は、アクセス・パネル１０３が閉じられるか戻されるまで、冷却ファン１０９をパネル開放／除去時の速度で動作させる。さらに、ファン速度制御ロジック１５３が、本明細書に示していない他の機能を含むことができることを理解されたい。
【００２９】
　前に検討したように、ファン速度制御ロジック１５３は、プロセッサ回路によって実行されるソフトウェアまたはコードで実施されるが、代替として、ファン速度制御ロジック１５３は、専用ハードウェアあるいはソフトウェア／汎用ハードウェアと専用ハードウェアの組合せで実施されてもよい。専用ハードウェアで実施される場合、ファン速度制御ロジック１５３は、いくつかの技術のうちのいずれかまたは組み合わせを使用する回路または状態マシンとして実施することができる。そのような技術は、１つまたは複数のデータ信号の印加に基づいて様々な論理機能を実施する論理ゲートを有する個別論理回路、適切な論理ゲートを有する特定用途向けＩＣ、プログラム可能なゲート・アレイ（ＰＧＡ）、フィールド・プログラム可能なゲート・アレイ（ＦＰＧＡ）、またはその他の構成要素などを含むが、これらに限定されない。そのような技術は、一般に当業者に周知であり、したがって本明細書では詳細に説明しない。
【００３０】
　図３のフローチャートは、ファン速度制御ロジック１５３を実現するアーキテクチャ、機能および動作を示す。ソフトウェアで実施される場合、各ブロックは、指定された論理機能を実現するプログラム命令を含むコードのモジュール、セグメントまたは部分を表すことができる。プログラム命令は、コンピュータ・システムや他のシステムのプロセッサのような適切な実行システムによって認識可能な数値命令を含むマシン・コードあるいはプログラム言語で記述された人間可読ステートメントを含むソース・コードの形で実施することができる。マシン・コードは、ソース・コードなどから変換されてもよい。ハードウェアで実施される場合、各ブロックは、指定された論理機能を実現する１つの回路またはいくつかの相互接続された回路を表すことがある。
【００３１】
　図３のフローチャートは、特定の実行順序を示しているが、実行順序は、示した順序と異なっていてもよいことを理解されたい。例えば、複数のブロックの実行順序を、示した順序に対して混ぜることができる。また、図３に連続して示した複数のブロックは、同時にまたは部分的並列に実行されてもよい。さらに、機能強化、計算、性能測定、問題解決支援などのために、本明細書で示した論理フローチャートに、任意の数のカウンタ、状態変数、警告セマフォまたはメッセージを追加することができる。そのような変数はすべて、本発明の範囲内にあることを理解されたい。
【００３２】
　また、ファン速度制御ロジック１５３が、ソフトウェアまたはコードを含む場合、ファン速度制御ロジック１５３は、例えばコンピュータ・システムや他のシステムのプロセッサのような命令実行システムによってまたはそのような命令実行システムと関連して使用される任意のコンピュータ可読媒体で実施することができる。この点において、ファン速度制御ロジック１５３は、例えば、コンピュータ可読媒体からフェッチし（取り出し）命令実行システムによって実行することができる命令と宣言を含むステートメントを含むことができる。本発明の文脈において、「コンピュータ可読媒体」は、命令実行システムによってあるいはそのような命令実行システムと関連して使用されるファン速度制御ロジック１５３を含み、記憶しまたは維持することができる任意の媒体でよい。コンピュータ可読媒体は、例えば、電子的、磁気的、光学的、電磁気、赤外線、半導体媒体などの多くの物理媒体のどれを含むこともできる。適切なコンピュータ可読媒体のより具体的な例には、磁気テープ、磁気フロッピ・ディスケット、磁気ハードディスク、またはコンパクトディスクがあるが、これらに限定されない。また、コンピュータ可読媒体は、例えばスタティック・ランダム・アクセス・メモリ（ＳＲＡＭ）とダイナミック・ランダム・アクセス・メモリ（ＤＲＡＭ）あるいは磁気ランダム・アクセス・メモリ（ＭＲＡＭ）を含むランダム・アクセス・メモリ（ＲＡＭ）でよい。さらに、コンピュータ可読媒体は、読み出し専用メモリ（ＲＯＭ）、プログラム可能な読み出し専用メモリ（ＰＲＯＭ）、消去可能プログラム可能な読み出し専用メモリ（ＥＰＲＯＭ）、電気的消去可能プログラム可能な読み出し専用メモリ（ＥＥＰＲＯＭ）、またはその他のタイプのメモリ装置でよい。
【００３３】
　次に図４を参照して、本発明のもう１つの実施形態による冷却システム１８３の例示的な図を示す。冷却システム１８３は、第１のダイオード１８６によって１つまたは複数の冷却ファン１０９に電気的に直接結合された侵入センサ１１９を含む。さらに、いくつかの温度センサＴＳ0-Nは、いくつかの第２のダイオード１８９によって冷却ファン１０９に直接結合される。この点において、ダイオード１８６と１８９の出力は、冷却ファン１０９に直接結合された共通ノードにおいて結合される。
【００３４】
　侵入センサ１１９は、最高電圧ＶMAXが印加される電力入力を含む。侵入センサ１１９は、冷却ファン１０９を最大の速度または毎分回転数で駆動する駆動信号として、冷却ファン１０９に最高電圧ＶMAXを印加する。同様に、いくつかの電圧Ｖ0−ＶMAXが、温度センサＴＳ0-Nに印加される。温度センサＴＳ0-Nは、冷却ファン１０９を所定の速度または毎秒回転数で駆動する駆動信号として、冷却ファン１０９に電圧Ｖ0−ＶMAXを印加する。ダイオード１８６および１８９は、侵入センサ１１９と温度センサＴＳ0-Nのそれぞれを、侵入センサ１１９／温度センサＴＳ0-Nの他のもののより高い電圧出力から切り離す。ある意味において、侵入センサ１１９／温度センサＴＳ0-Nのいずれかによって生成された駆動信号は、侵入センサ１１９／温度センサＴＳ0-Nの他のものによって生成されたより小さい任意の駆動信号より優先される。
【００３５】
　図５と関連して、本発明のもう１つの実施形態による冷却システム１９３の例示的な図を示す。冷却システム１９３は、侵入センサ１１９、ファン速度制御装置１１３、および１つまたは複数の温度センサ１１６を含む。図１Ａに関して検討したように、温度センサ１１６は、ファン速度制御装置１１３と同じように電気的に結合される。侵入センサ１１９は、第１のダイオード１９６によって１つまたは複数の冷却ファン１０９に電気的に結合される。同様に、ファン速度制御装置１１３は、第２のダイオード１９９によって１つまたは複数の冷却ファン１０９に結合される駆動信号出力を含む。同様に、図４に関して検討したように、最大駆動電圧ＶMAXが、侵入センサ１１９に印加される。侵入センサ１１９は、１つまたは複数の冷却ファン１１９に、駆動信号として駆動電圧ＶMAXを印加する。この点において、前に検討したように、駆動信号は、１つまたは複数の冷却ファン１０９を、最大の速度または毎分回転数あるいは他の何らかの適切な速度で駆動することができる。同様に、ファン速度制御装置１１３は、キャビネット１００（図１Ａ）内の適切な温度を維持するために必要な冷却量に依存して、１つまたは複数の冷却ファン１０９を適切な速度で駆動するために、第２のダイオード１９９を介して１つまたは複数の冷却ファン１０９に印加される適切な駆動信号を生成する。
【００３６】
　侵入センサ１１９が、第１のダイオード１９６によって１つまたは複数の冷却ファン１０９に電気的に直接結合されているため、１つまたは複数の冷却ファン１０９に印加される侵入センサ１１９によって生成された駆動信号は、ファン速度制御装置１１３によって生成される駆動信号よりも優先される。これは、侵入センサ１１９からの駆動信号の電圧が、ファン速度制御装置１１３からの駆動信号の電圧よりも大きいとしているためである。他の回路を使用して、侵入センサ１１９が、ファン速度制御装置１１３によって生成された任意の駆動信号よりも、図５と関連して説明した回路以上に、優先されるか、この駆動信号を無視できることを理解されたい。
【００３７】
　したがって、冷却システム１９３は、侵入センサ１１９が、アクセス・パネル１０３（図１Ａ）が開けられ／除去されまたは閉じられ／戻されたかを検出することなく動作する既存の冷却システム１９３に後付けされた例を提供する。
【００３８】
　本発明を特定の実施形態に関して示し説明したが、本発明は、他の状況で実施することができ、併記の特許請求の範囲は、従来技術によって限定された範囲を除く説明した実施形態およびすべての代替実施形態をカバーするように解釈されるべきである。
【産業上の利用可能性】
【００３９】
　本発明は、コンピュータやその他電子機器のキャビネット内の冷却に使用することができる。
【図面の簡単な説明】
【００４０】
【図１Ａ】本発明の実施形態によるキャビネット冷却システムを含むキャビネットの図である。
【図１Ｂ】アクセス・パネルが開いた状態の図１のキャビネットの図である。
【図２】本発明の実施形態による図１のキャビネット冷却システムに使用されているファン速度制御装置の例示的な図である。
【図３】本発明の実施形態による図２のファン速度制御装置により実行されるファン速度制御ロジックの例示的なフローチャートである。
【図４】本発明のもう１つの実施形態による第２のキャビネット冷却システムの例示的な図である。
【図５】本発明のもう１つの実施形態による第３のキャビネット冷却システムの例示的な図である。
【符号の説明】
【００４１】
　１００　キャビネット
　１０３　アクセス・パネル
　１０９　冷却ファン
　１１３　ファン速度制御装置
　１１６　温度センサ
　１１９　侵入センサ
【図１Ａ】
2004133937.tif 000003
【図１Ｂ】
2004133937.tif 000004
【図２】
2004133937.tif 000005
【図３】
2004133937.tif 000006
【図４】
2004133937.tif 000007
【図５】
2004133937.tif 000008